(57)【要約】【課題】  従来、寝癖を防ぐ、直す場合において、寝癖は個人の髪質、髪の量、寝相、生活態度、ストレス等で大差がでてくる。また寝癖直し方法として使用されている寝癖直し薬剤は、アレルギー体質の人、又は子供等においては問題が多い。従って、何人に有効、簡易で、かつ問題がない寝癖防止する方法が要望されている。【構成】  本発明は、就寝用着衣に外表面がベッド、布団等に対して滑らかなもので、内表面は通気性の良い素材で構成したフードを設け、このフードと着衣との間の首部にマイナスイオンを発生する物質を含有した構成の締付け部を設けた構成であり、就寝中髪型がフードの中で固止され寝癖防止が図れる。【選択図】    図１
2005273094.tif 000002
【特許請求の範囲】
【請求項１】
パジャマ、寝巻き、ジャージ等の就寝用着衣にフードを設け、このフードと着衣との間に設けた首部に相当する箇所に、この首部を固止する手段として、面ファスナー、フック等の緊締部及び／又は弾性体の紐、帯体等の締付け部を設け、この緊締部及び／又は締付け部で首部を固止する構成とした寝癖防止用パジャマ、寝巻き、ジャージ等の就寝用着衣。
【請求項２】
請求項１に記載のフードは、外表面がベッド、布団、或いは枕に対して滑らかなもので、内表面は通気性の良い素材で構成した寝癖防止用パジャマ、寝巻き、ジャージ等の就寝用着衣。
【請求項３】
請求項１に記載の締付け部は、マイナスイオンを発生する物質を含有する構成とした寝癖防止用パジャマ、寝巻き、ジャージ等の就寝用着衣。
【発明の詳細な説明】
【技術分野】
【０００１】
本発明は、寝癖防止を目的としたパジャマ、寝巻き、ジャージ等の就寝用着衣に関する。
【背景技術】
【０００２】
周知の如く、就寝時に発生する寝癖の主たる原因は、次のように考えられる。例えば、枕で髪が押えつけられそのまま形がつく場合と、寝汗で髪が湿り形がつく場合とがある。また受験疲れや、疲労からくる寝相の悪さ等も大きな要因である。そして、この種の寝癖は、個人の髪質、髪の量、等の先天的なものと、寝相、生活態度等の後天的なものにより発生することが多いと考えられている。
【０００３】
この寝癖がひどい場合の対処方法は、その一例を説明すると、次の（１）〜（３）のような手段がある。（１）は寝癖箇所に水につけて癖を直し、その後に、ドライヤ等を利用して乾燥する所作が必要となり、かなりの時間と労力を要する（手間を要する）ので、朝の忙しい時間のは特に大変である。（２）そして、最悪の場合はシャワーを浴びる等の場合には、朝の貴重な時間を割かなければならないので大変である。（３）さらに昨今は、技術の進歩と、要望とがあることに鑑み、寝癖の解消方法として、寝癖を直す薬剤が市販されている。しかし、この寝癖直し薬剤は、アレルギー体質の人、又は子供等においては問題が多い。このような状況は、各人が経験することであり、その手立て、又は簡易な寝癖直しの方法（手段）が要望される。
【０００４】
そして、広く衣服等において、フードを備えた寝具として文献を精査した処、次のような文献（１）〜（３）が挙げられるので、その概要を説明する。
【０００５】
文献（１）は、実用新案登録第３０２８３５０号の「防寒用室内着」の考案である。この考案は、伸縮性の室内着は、身頃と、フードと手袋を備えた袖とを一体にした構造であり、この手袋部分を面ファスナーを利用して緊締することを特徴とし、身頃とフード及び手袋を備えた袖を一体として、防寒と脱抜防止を図りつつ、手袋の自由度を確保して、新聞等を読み易くすること等を意図する。
【０００６】
文献（２）は、特開平８−８０３１９号の「介護用衣料」の発明である。この発明は、身体の上下を包むパジャマ状の衣服本体にフードを備えた構造であって、この衣服本体及び／又はフードがファスナーによって開閉自在になっている構成であり、寝たきりの患者の衣服の容易な着脱と、患者の懸架を容易にすること等を意図する。
【０００７】
文献（３）は、実用新案登録第３０７６１３３号の「ガウン」の考案である。この考案は、略長方形状のタオル地によって構成され、中央部に人の頭が挿通可能な開口部を設け、この開口部の周辺部にフードの基端部が連結され両脇側を開放したガウンであって、この両脇側を緊締具を介して連繋可能とした構成であり、手足の不自由な高齢者や身体障害者であっても、自ら容易に着衣、脱衣が可能なこと、又は介護者が容易に着衣、脱衣の介護ができること等を意図する。
【０００８】
【特許文献１】実用新案登録第３０２８３５０号
【特許文献２】特開平８−８０３１９号
【特許文献３】実用新案登録第３０７６１３３号
【発明の開示】
【発明が解決しようとする課題】
【０００９】
前述の文献（１）〜（３）の考案、発明は、それぞれフードを設けた構成は類似する。しかし、このフードと着衣とをつなぐ首部に相当する箇所（首部箇所）の構成において、明確な特徴がない。例えば、文献（１）に於いては、上着を釦を利用して締付けた場合に、その後、この首部箇所の取扱いに関しては、特別な構成を採用せず、フードのズレ防止と、寝癖防止に関する手段が開示されていない。また文献（２）に於いては、フードが面ファスナーを介して開閉自在であるが、やはりフードに関しては、特別な構成を採用せず、フードのズレ防止と、寝癖防止に関する手段が開示されていない。また文献（３）に於いては、フードの首部箇所を釦を介して緊締する構成であるが、やはりフードに関しては、特別な構成を採用せず、フードのズレ防止と、寝癖防止に関する手段が開示されていない。
【００１０】
上記に鑑み本発明は、枕で髪が押えつけられそのまま形がつく場合や、寝汗で髪が湿り形がひどくつく場合等の如く、寝癖が発生し易い状況を回避して、個人の髪質、髪の量等を問わず、略全ての寝癖の原因を就寝中から防止すること、又は薬剤等の使用を回避して、全ての人に役立つ寝癖防止用パジャマ等の就寝用着衣を提供すること等を意図する。そして、本発明は、パジャマ、寝巻き、ジャージ等の就寝用着衣が、脱げず、また崩れない限り、寝癖の発生を回避できること、またコスト面でも現段階の寝癖対策よりも低くなる寝癖防止用パジャマ等の就寝用着衣を提供すること等を意図する。
【課題を解決するための手段】
【００１１】
本発明者は、上記課題の解決策として、寝癖発生防止が図れるフード付きパジャマ、寝巻き、ジャージ等の就寝用着衣を発明した。そして、上記課題の解決のほかにも、本来の目的である防寒と、略整髪（髪を整えることを云う）のいらない寝癖防止用パジャマ等の就寝用着衣を提供することを意図する。その要旨は、次のような構成である。
【００１２】
請求項１は、パジャマ、寝巻き、ジャージ等の就寝用着衣にフードを設け、このフードと着衣との間に設けた首部に相当する箇所に、この首部を固止する手段として、面ファスナー、フック等の緊締部及び／又は弾性体の紐、帯体等の締付け部を設け、この緊締部及び／又は締付け部で首部を固止する構成とした寝癖防止用パジャマ、寝巻き、ジャージ等の就寝用着衣である。
【００１３】
また請求項２は、請求項１に記載のフードは、外表面がベッド、布団、或いは枕に対して滑らかなもので、内表面は通気性の良い素材で構成した寝癖防止用パジャマ、寝巻き、ジャージ等の就寝用着衣である。
【００１４】
さらに請求項３は、請求項１に記載の締付け部は、マイナスイオンを発生する物質を含有する構成とした寝癖防止用パジャマ、寝巻き、ジャージ等の就寝用着衣である。
【発明の効果】
【００１５】
請求項１は、パジャマ、寝巻き、ジャージ等の就寝用着衣にフードを設け、フードと着衣との間に設けた首部に相当する箇所に、首部を固止する手段として、面ファスナー、フック等の緊締部及び／又は弾性体の紐、帯体等の締付け部を設け、緊締部及び／又は締付け部で首部を固止する寝癖防止用パジャマ、寝巻き、ジャージ等の就寝用着衣である。
【００１６】
従って、フードが枕を介在することから寝返り等でずれた場合においても、このフードは原則として頭部とともにずれることで、髪型の崩れ防止が図れること、またこの崩れに起因する弊害（寝癖）の解消となること等の特徴がある。またこのフードの固止を介してパジャマ、寝巻き、ジャージ等の就寝用着衣の脱外防止が図れること、また首部に相当する箇所を使用する人の体格又は体の状態、気候等に適宜順応できる利点と、この利点を介してフードの外れ回避と、外れ及び／又は寝相等に起因する寝癖防止が図れること等の実益が考えられる。
【００１７】
請求項２は、請求項１に記載のフードは、外表面がベッド、布団、或いは枕に対して滑らかなもので、内表面は通気性の良い素材でなる寝癖防止用パジャマ、寝巻き、ジャージ等の就寝用着衣である。
【００１８】
従って、内外表面の素材をある程度限定することにより、寝癖の主な原因である、枕で髪が押えつけられそのまま形がつく場合や、寝汗で髪が湿り形がつく場合と、個人の髪質、髪の量、等の先天的な体質、又は寝相、生活態度等の後天的なもの等の如く、略全てに対処できると考えられ有益である。
【００１９】
請求項３は、請求項１に記載の締付け部は、マイナスイオンを発生する物質を含有する構成とした寝癖防止用パジャマ、寝巻き、ジャージ等の就寝用着衣である。
【００２０】
従って、マイナスイオンを発生する物質を含有する締付け部が設けられており、疲労回復、免疫力の向上、呼吸機能の向上等の効果が得られる特徴がある。
【実施例】
【００２１】
以下、本発明の一例を説明する。
【００２２】
図中Ｈは人で、Ｈ１は人Ｈの頭部を示す。また図中Ｐはパジャマ、寝巻き、ジャージ等の就寝用着衣で、この就寝用着衣Ｐは人Ｈが着用する。そして、この就寝用着衣Ｐには首部に相当する箇所Ｐ１を介してフード１が設けられている。この首部に相当する箇所Ｐ１には、人Ｈの頭部Ｈ１よりフード１が外れないように弾性体の紐、帯体、樹脂製バネ等の締付け部２が設けられている。この締付け部２の先端（両自由端）には、面ファスナー、フック、紐、樹脂製バネ等の緊締部３が設けられる。但し、締付け部２が緊締部３を兼ねる構成も可能である。
【００２３】
そして、前記フード１は内表面がメッシュ構造となっており、通気性を高めることにより寝汗を防ぐ構造となっている。またメッシュ構造により、内部では頭部Ｈ１のずれ防止が図れる。また外表面は、枕、布団等の摩擦を少なくできる素材（ナイロン、易滑素材等）で構成されており、フード１を被嵌した頭部Ｈ１が寝返り等で横にずれた場合であっても、フード１のずれを回避できる構成とする。さらにフード1の内部は、原則としてずれない構成を採用することから、通常、髪型はフード１の中で、略固止（静置、固定）された状態と考えられる。
【００２４】
また前記締付け部２は、パジャマ、寝巻き、ジャージ等の就寝用着衣Ｐを着る人Ｈの体に合わせて脱げない状態で、かつ圧迫しない程度に固止できる構造を備えたものとする。締付け部２の首部での固止方法として面ファスナー、若しくはフックを用いる。また締付け部２には、備長炭を砕き粒子状にしたものを含有させることで、一般的に云われている備長炭の効果、即ち、マイナスイオンを発生し、疲労回復、免疫力の向上、呼吸機能の向上、又は脱臭等の効果が得られること、またこの効果によって、例えば、安眠対策としても有益と考えられる。これらの効果を最大限に発揮するには、この締付け部２で首部を軽く固止する構造が最適である。また締付け部２を、就寝用着衣Ｐの首部に相当する箇所Ｐ１に設けるに際しても、工夫を凝らすことにより、下記のような特徴が発揮できる。即ち、この締付け部２は、首部に相当する箇所Ｐ１の外側、内側、内蔵可能であり、例えば、外側に設けた場合は、脱着可能となり必要のない人（サイズがぴったりでフード１が離間することのない人）は、これを取外してゆったりと快適に使用できる。また内側に設けた場合は、直接首に接触し、指圧効果を発揮できる。さらに内蔵した場合は、外観的、デザイン的によく見えること、商品価値の向上等が考えられる。
【００２５】
また締付け部２を、緩い弾性体としたのは、安全上の配慮、また就寝の際、圧迫感をなくし、さらにロングヘアーの人でも髪を首部で締めることなく髪が乱れない、また首部の圧迫感を嫌う人にも有益であり、多用途、多目的に利用できる実益がある。
【００２６】
そして、前記のフード１は常に頭部Ｈ１を被嵌する形を保っているのではなく、折りたたみ等の手段を利用して、フード抜きで首部の締付け部２のみ使用して、就寝することも可能とする。この使用は、防寒用、喉の保護用として役立て得るものと考えられる。
【００２７】
また緊締部３は、面ファスナー、フック、紐、又は弾性を備えた面ファスナー、紐、樹脂製バネ等でなる緊締手段であり、例えば、図３等の例の如く、締付け部２の先端に設けられる例、また図７等の例の如く、首部に相当する箇所Ｐ１等の適宜部位に設けられる例が考えられる。そして、この緊締部３は、首部に相当する箇所Ｐ１等の外側、内側、内蔵可能に設けられる例が考えられる。当該緊締部３は、フード１の閉塞を図り、このフード１の本質的な特徴である寝癖防止を図り、また当該フード１が頭から外れるのを防止し、又は防寒用、風邪対策用、或いは締付け部２の代替品としての役目（締付け部２の省略）を達成する。尚、首部に相当する箇所Ｐ１等の外側、内側、内蔵可能に設けられる効果は、前述と同様に考えられる。前記首部に相当する箇所Ｐ１は、就寝用着衣Ｐの開放部位Ｐ２が理想である。
【００２８】
そして、前述の如く、締付け部２と、緊締部３とは併用する構成と、個別に使用する構成とが考えられ、必要により選択される。
【００２９】
また図中Ａは枕を示す。
【図面の簡単な説明】
【００３０】
【図１】本発明の寝癖防止パジャマ、寝巻き、ジャージ等の就寝用着衣の全体を示した側面図
【図２】図１のＡ−Ａ拡大端面図
【図３】本発明の締付け部と緊締部とを設けた寝癖防止パジャマ、寝巻き、ジャージ等の就寝用  着衣の拡大要部正面図
【図４】図３の他の例を示した斜視図
【図５】図３のさらに他の例におけるフードを脱いだ状態の寝癖防止パジャマ、寝巻き、ジャー  ジ等の就寝用着衣の拡大要部正面図
【図６】本発明の緊締部を設けた寝癖防止パジャマ、寝巻き、ジャージ等の就寝用着衣の拡大要  部正面図
【図７】図５の例における横向きに就寝する状態の寝癖防止パジャマ、寝巻き、ジャージ等の就  寝用着衣の拡大要部正面図
【図８】従来の横向きに就寝する状態のパジャマ、寝巻き、ジャージ等の就寝用着衣の拡大要部  正面図
【符号の説明】
【００３１】
Ｍ                頭部
Ｐ                就寝用着衣
Ｐ１              首部に相当する箇所
Ｐ２              開放部位
１                フード
２                締付け部
３                緊締部
Ａ                枕
【図１】
2005273094.tif 000003
【図２】
2005273094.tif 000004
【図３】
2005273094.tif 000005
【図４】
2005273094.tif 000006
【図５】
2005273094.tif 000007
【図６】
2005273094.tif 000008
【図７】
2005273094.tif 000009
【図８】
2005273094.tif 000010